(57)【要約】【課題】平面状の壁外面、円いポール、フェンスの細柱等、その他の色々な形状部分に対しものぼり旗竿を安定良く取り付け可能となるようにする。【解決手段】のぼり旗竿を挿入する支持部材１の背面に、被取付面に固定した受け部材１１に差し込む差込片と、被取付面に締め付けバンドによって縛着するバンド締付片とを兼用可能として成る差込兼バンド締付用支持片２ａ、２ｂを備える。この差込兼バンド締付用支持片２ａ、２ｂは、筒状の支持部材１の背面から略逆Ｌ字片状となって下方向に延び、その略中間における左右両側には、被取付面に縛着する締め付けバンドを係架して巻き込むための切欠溝部４を備え、また下方先端に向けて次第に幅狭となるよう左右両側にテーパ部３を備え、さらに円いポールもしくはフェンスの細柱のいずれかの被取付面に対して係合するように当接可能とした縦長の凹部５を備える。【選択図】図１
2007231536.tif 000002
【特許請求の範囲】
【請求項１】
のぼり旗竿が挿入される支持部材の背面に、被取付面に固定された受け部材に差し込み支持される差込片と、被取付面に締め付けバンドによって縛着支持されるバンド締付片とを兼用可能として成る差込兼バンド締付用支持片を備えたことを特徴とするのぼり旗竿の支持具。
【請求項２】
差込兼バンド締付用支持片は、筒状の支持部材の背面から略逆Ｌ字片状となって下方向に延び、その略中間における左右両側には、被取付面に縛着させる締め付けバンドを係架させて巻き込むための切欠溝部を備えている請求項１記載ののぼり旗竿の支持具。
【請求項３】
差込兼バンド締付用支持片は、下方先端に向けて次第に幅狭となるよう左右両側にテーパ部を備えている請求項１または２記載ののぼり旗竿の支持具。
【請求項４】
差込兼バンド締付用支持片は、円いポールもしくはフェンスの細柱のいずれかの被取付面に対して係合するように当接可能とした縦長の凹部を備えている請求項１乃至３のいずれかに記載ののぼり旗竿の支持具。
【請求項５】
支持部材は、挿入されるのぼり旗竿の下端に形成されている板状の突起を嵌合させるよう当該支持部材の筒内底部にスリット部を備えている請求項１乃至４のいずれかに記載ののぼり旗竿の支持具。
【請求項６】
受け部材は、支持部材の上下に形成された差込兼バンド締付用支持片それぞれに対応して、アームの上下両端に差込兼バンド締付用支持片挿入用の差込孔部を備えて成る請求項１乃至５のいずれかに記載ののぼり旗竿の支持具。
【請求項７】
支持部材の上側に形成された差込兼バンド締付用支持片は、下側に形成された差込兼バンド締付用支持片よりも長い請求項６記載ののぼり旗竿の支持具。
【発明の詳細な説明】
【技術分野】
【０００１】
本発明は、例えば商品の広告、宣伝のための広告宣伝媒体としてののぼり旗竿を、例えばコンクリート塀、円いポール、フェンスの細柱等の種々の被取付面に取り付けるためののぼり旗竿の支持具に関する。
【背景技術】
【０００２】
従来、この種ののぼり旗竿の支持具としては、例えば特許文献１に開示されているように、建築物の取付面の縦方向に沿って受け部材および支持具を両面粘着テープを介して固定し、のぼり旗をチチを介して取り付けた竿に固定してある係合部材を、受け部材の弾性挟持部内側の嵌合部へ上方から嵌め込んで嵌合部の下方に設けられたストッパ部で係止させると同時に支持具の弾性挟持部へ前記竿を嵌挿挟持させる技術が存在する。
【０００３】
また、特許文献２に開示されているように、建築物の取付面の上方、下方それぞれに受け部材の上部ホルダー部、下部ホルダー部それぞれの取付板部を両面粘着テープを介して貼着するか、あるいは予め建築物の取付面に両面粘着テープを介して貼着しておいた固定部材の差込み溝に各受け部材を装着する等してから、のぼり旗竿の下端開口部を下部ホルダー部の嵌合受け部材に上方より嵌め込み、のぼり旗竿を上部ホルダー部の拡開ガイド部付き開口より挿通孔内部に押し込むことでのぼり旗竿を支持固定する技術が存在する。
【０００４】
さらに、特許文献３に開示されているように、建築物の取付面に受け部材を両面粘着テープを介して固定し、該受け部材の正面に設けられた差込溝に支持部材の支持板を上方より装着し、該支持板の正面に設けられた係止部材へのぼり旗竿下端に設けられた差込孔部を上方より差込むことによってのぼり旗竿を支持する技術が存在する。
【特許文献１】特開２００４−１０９７５７号公報
【特許文献２】実用新案登録第３１１１８８９号公報
【特許文献３】実用新案登録第３１１２８１７号公報
【発明の開示】
【発明が解決しようとする課題】
【０００５】
しかしながら、従来においては、受け部材および支持具等を介してのぼり旗竿を取り付けるに際し、受け部材および支持具等は、建築物の取付面として平面状の壁外面等に貼着固定されるよう平面構造によるものとしており、例えば円いポールのように湾曲面を有する被取付面、あるいはフェンスの細柱等のような細長い面積を有する被取付面等の場合に、このような受け部材および支持具等を安定良く取り付けることは困難であった。すなわち、受け部材および支持具等の背面側の貼着面自体が平面であるため、円いポールやフェンスの細柱等では貼着面積が極端に小さくなってしまい、受け部材および支持具等を介してののぼり旗竿の支持が不安定となってしまう虞れがある。
【０００６】
そこで、本発明は、叙上のような従来存した諸事情に鑑み創出されたもので、平面状の壁外面は勿論、円いポールやフェンスの細柱等、その他の色々な形状部分であっても、それらに対応する部材を適宜選択してのぼり旗竿を安定良く取り付けることが可能なのぼり旗竿の支持具を提供することを目的とする。
【課題を解決するための手段】
【０００７】
上述した課題を解決するため、本発明にあっては、のぼり旗竿が挿入される支持部材の背面に、被取付面に固定された受け部材に差し込み支持される差込片と、被取付面に締め付けバンドによって縛着支持されるバンド締付片とを兼用可能として成る差込兼バンド締付用支持片を備えたことを特徴とする。
【０００８】
また、差込兼バンド締付用支持片は、筒状の支持部材の背面から略逆Ｌ字片状となって下方向に延び、その略中間における左右両側には、被取付面に縛着させる締め付けバンドを係架させて巻き込むための切欠溝部を備えた構成とすることができる。
【０００９】
そして、差込兼バンド締付用支持片は、下方先端に向けて次第に幅狭となるよう左右両側にテーパ部を備えた構成とすることができる。
【００１０】
さらに、差込兼バンド締付用支持片は、円いポールもしくはフェンスの細柱のいずれかの被取付面に対して係合するように当接可能とした縦長の凹部を備えた構成とすることができる。
【００１１】
また、支持部材は、挿入されるのぼり旗竿の下端に形成されている板状の突起を嵌合させるよう当該支持部材の筒内底部にスリット部を備えた構成とすることができる。
【００１２】
さらに、受け部材は、支持部材の上下に形成された差込兼バンド締付用支持片それぞれに対応して、アームの上下両端に差込兼バンド締付用支持片挿入用の差込孔部を備えた構成とすることができる。
【００１３】
加えて、支持部材の上側に形成された差込兼バンド締付用支持片は、下側に形成された差込兼バンド締付用支持片よりも長い構成とすることができる。
【発明の効果】
【００１４】
本発明によれば、平面状の壁外面は勿論、円いポールやフェンスの細柱等、その他の色々な形状部分であっても、それらに対応する部材を適宜選択してのぼり旗竿を安定良く取り付けることが可能となる。
【００１５】
すなわち、本発明にあっては、のぼり旗竿が挿入される支持部材の背面に、被取付面に固定された受け部材に差し込み支持される差込片と、被取付面に締め付けバンドによって縛着支持されるバンド締付片とを兼用可能として成る差込兼バンド締付用支持片を備えているので、被取付面が平面の場合には、差込兼バンド締付用支持片を受け部材に差し込み支持される差込片として利用でき、また被取付面が円いポールやフェンスの細柱等の場合には、差込兼バンド締付用支持片を締め付けバンドによって縛着支持されるバンド締付片として利用することができ、このように被取付面の形状や大きさに対応して受け部材または締め付けバンドのいずれかを選択してのぼり旗竿を安定良く取り付けることが可能となる。
【００１６】
また、差込兼バンド締付用支持片は、筒状の支持部材の背面から略逆Ｌ字片状となって下方向に延び、その略中間における左右両側には、被取付面に縛着させる締め付けバンドを係架させて巻き込むための切欠溝部を備えたので、締め付けバンドによって被取付面に縛着されている差込兼バンド締付用支持片の当該締め付けバンドからの不用意な抜き外れを未然に防止することができる。
【００１７】
そして、差込兼バンド締付用支持片は、下方先端に向けて次第に幅狭となるよう左右両側にテーパ部を備えたので、差込兼バンド締付用支持片を受け部材に差し込み支持される差込片として利用した際に、当該受け部材への挿着がスムーズに行える。
【００１８】
さらに、差込兼バンド締付用支持片は、円いポールもしくはフェンスの細柱のいずれかの被取付面に対して係合するように当接可能とした縦長の凹部を備えたので、被取付面が円いポールの場合には、差込兼バンド締付用支持片は凹部内で円いポールの円弧部分を受けるようにして当該凹部の左右の出っ張りによってポールに支持されるものとなり、また被取付面がフェンスの細柱の場合には、差込兼バンド締付用支持片は凹部内に細柱前面を受け入れるようにして支持されるものとなり、これにより、差込兼バンド締付用支持片が締め付けバンドによって被取付面に縛着された際に当該差込兼バンド締付用支持片を介して支持部材自体を被取付面に安定良く固定することができる。
【００１９】
また、支持部材は、挿入されるのぼり旗竿の下端に形成されている板状の突起を嵌合させるよう当該支持部材の筒内底部にスリット部を備えたので、支持部材に挿入されたのぼり旗竿自体が当該支持部材内部で回転してしまうのを未然に防止することができる。
【００２０】
さらに、受け部材は、支持部材の上下に形成された差込兼バンド締付用支持片それぞれに対応して、アームの上下両端に差込兼バンド締付用支持片挿入用の差込孔部を備えたので、従来のように建築物の取付面の縦方向に沿って複数の受け部材を両面粘着テープを介して個々別々に固定することにより当該受け部材同士の位置決めが困難となっていたのに対し、本発明による受け部材は所定長さのアームを介して差込孔部が一体形成されているため、従来のような位置決め、すなわち差込孔部同士の位置決めを行う必要が無くなり、受け部材への差込兼バンド締付用支持片の挿着がスムーズに行える。
【００２１】
加えて、支持部材の上側に形成された差込兼バンド締付用支持片は、下側に形成された差込兼バンド締付用支持片よりも長い構成としてあるので、受け部材への差込兼バンド締付用支持片の挿着に際し、上側の差込兼バンド締付用支持片が下側の差込兼バンド締付用支持片よりも先に受け部材上側の差込孔部へ挿入され、この上側の差込孔部への差込みがガイドとなって引き続き後から下側の差込兼バンド締付用支持片が受け部材下側の差込孔部へ挿入されるものとなるため、受け部材への差込兼バンド締付用支持片の挿着がスムーズに行えるものとなる。しかも、支持部材に縦方向に加わる僅かな反動でもって下側の差込孔部から下側の差込兼バンド締付用支持片が万が一抜脱されても、上側の差込兼バンド締付用支持片は上側の差込孔部に挿入された状態を維持するため、支持部材の受け部材からの脱落を未然に食い止めることができる。
【発明を実施するための最良の形態】
【００２２】
以下、図面を参照して本発明を実施するための最良の一形態を説明する。
図において示される符号１は、のぼり旗竿Ｐが挿入される例えば硬質プラスチックから成る筒状の支持部材であり、該支持部材１の筒内部の形状は、図１に示すように、のぼり旗竿Ｐ自体が回転しないようにするために、当該のぼり旗竿Ｐの例えば長円形状に形成された外形に略合致するように形成してある。このとき支持部材１の上側開口面１ｄは前方側へ向けて若干傾斜した状態に形成してある。
【００２３】
そして、支持部材１の筒内底部は、幅狭なスリット部１ａを介して開放され、さらに支持部材１下端両側面から該スリット部１ａを貫通するように孔部１ｂが穿設されている。また、のぼり旗竿Ｐの下端開口側には、図４および図５に示すように、中央に孔部１ｃを有する板状の突起Ｌを形成した下部ホルダー部材Ｈが嵌合されている。これによって、支持部材１にのぼり旗竿Ｐが挿入されて、のぼり旗竿Ｐの下端開口側に嵌め込まれた下部ホルダー部材Ｈの突起Ｌを支持部材１のスリット部１ａに嵌合した際に、突起Ｌの孔部１ｃが支持部材１の孔部１ｂと合致した状態とさせ、この孔部１ｂから突起Ｌの孔部１ｃを貫通するように例えば針金（図示せず）等を通してから支持部材１に巻き付け縛ることで、のぼり旗竿Ｐの下端が支持部材１内で回転しないようかつ支持部材１から抜けないように支持固定されるようにしてある。
【００２４】
また、図１（ｂ）および図１（ｃ）に示すように、支持部材１の背面の例えば上下２箇所には、当該背面から略逆Ｌ字片状となって下方向に延設して成る差込兼バンド締付用支持片２ａ、２ｂを備えている。そして、この差込兼バンド締付用支持片２ａ、２ｂは、各部材の被取付面Ｑに固定された受け部材１１に差し込み支持される差込片としての機能と、被取付面Ｑに締め付けバンド６によって縛着支持されるバンド締付片としての機能とを両立兼用できる構成としてある。
【００２５】
すなわち、差込兼バンド締付用支持片２ａ、２ｂは、支持部材１の上側に形成された差込兼バンド締付用支持片２ａの方を、下側に形成された差込兼バンド締付用支持片２ｂよりも長く設定してある。そして、差込兼バンド締付用支持片２ａ、２ｂの左右両側にはテーパ部３が形成され、下方先端に向けて次第に幅狭となるようにしてある。
【００２６】
さらに、両差込兼バンド締付用支持片２ａ、２ｂの略中間における左右両テーパ部３には、被取付面Ｑに縛着させるための締め付けバンド６を係架させた状態にして巻き込むためのバンド厚みと幅員に対応した浅底で長尺な切欠溝部４がそれぞれ形成されている。尚、締め付けバンド６としては、例えばネジ締付け式による金属製バンドを使用しているが、本発明はこれに限定されるものではない。
【００２７】
また、差込兼バンド締付用支持片２ａ、２ｂの中央面縦方向に沿って凹部５が形成され、例えば円いポール（図３参照）もしくはフェンスの細柱（図４参照）等のいずれかの被取付面Ｑが凹部５に係合した状態で当接されるようにしてある。すなわち、被取付面Ｑが円いポールの場合には、差込兼バンド締付用支持片２ａ、２ｂは凹部５内で円いポールの円弧部分を受けるようにして当該凹部５の左右の出っ張りによってポールに支持されるものとなり、また、被取付面Ｑがフェンスの細柱の場合には、差込兼バンド締付用支持片２ａ、２ｂは凹部５内に断面台形状の細柱における前面の幅狭側を嵌め入れるようにして支持されるものとしてある。
【００２８】
受け部材１１は、図２に示すように、細長な帯状のアーム１３を介して上下両端に形成されている幅広面にコ字枠１２が付設されることによって幅広な略矩形鞘状の差込孔部１２ａ、１２ｂが形成されている。このとき、アーム１３の長さに対応する上下の差込孔部１２ａ、１２ｂ同士の間隔は、支持部材１の上下両側に形成された一対の差込兼バンド締付用支持片２ａ、２ｂ相互の間隔に対応する長さと合致するように形成してあり、また、差込孔部１２ａ、１２ｂの幅員は、差込兼バンド締付用支持片２ａ、２ｂのテーパ部３における最大幅が挿入できる大きさとなるように形成してある。
【００２９】
そして、受け部材１１は、差込孔部１２ａ、１２ｂとアーム１３との接続部分に形成されたネジ孔１４にネジをねじ込むことで例えば建築物のコンクリート塀等の被取付面Ｑに固定されるものとしてある。このとき、図２（ｄ）に示すように、コ字枠１２によって形成された差込孔部１２ａ、１２ｂそれぞれの裏面に梨地加工面部１５が施されており、固定された受け部材１１が被取付面Ｑ上で滑ってズレないよう適度の摩擦が得られるようにしてある。尚、受け部材１１は被取付面Ｑ上にネジで固定する替わりに、両面粘着テープや接着材等を介して被取付面Ｑ上に貼着しても良い。
【００３０】
のぼり旗竿Ｐは、図４（ａ）に示すように、表面を軟質合成樹脂でコーテイングしたスチールパイプあるいは硬質合成樹脂製の強化パイプ等をジョイントパイプで連繋して長尺のものとしたり、ネジ式ストッパを介して伸縮自在に繋いで長尺のものとしたりして形成されている。そして、のぼり旗竿Ｐの上端には、旗をチチを介して吊架するための横棒Ｒが嵌め込まれる溝を備え、上方からキャップＳがねじ込まれることで、溝に嵌り込んだ横棒Ｒを挟持固定するようにしてある。さらに、のぼり旗竿Ｐの下端開口部には、既述のとおり、板状の突起Ｌを下端に備えた筒状の下部ホルダー部材Ｈが嵌合させてある。
【００３１】
次に、以上のように構成された最良の形態についての使用、組立の一例について説明する。
先ず、のぼり旗竿Ｐを例えばコンクリート塀等の平面状の被取付面Ｑに設置する場合について説明する。図３（ａ）に示すように、被取付面Ｑ上ののぼり旗竿Ｐの設置相当部位に受け部材１１の梨地加工面部１５側を当接して受け部材１１の上下のネジ孔１４にネジをねじ込むことで被取付面Ｑ上に固定する。
【００３２】
そして、図３（ｂ）および図３（ｃ）に示すように、支持部材１の上下の差込兼バンド締付用支持片２ａ、２ｂを受け部材１１の差込孔部１２ａ、１２ｂにそれぞれ挿入することで、受け部材１１に支持部材１が固定される。
【００３３】
次いで、予め旗Ｔが取り付けられているのぼり旗竿Ｐを支持部材１の上側開口面１ｄから筒内に挿入する。このとき、のぼり旗竿Ｐの下端開口側に嵌め込まれた下部ホルダー部材Ｈの突起Ｌをスリット部１ａに嵌入させると、突起Ｌの孔部１ｃは支持部材１の孔部１ｂと合致した状態に配置され、この孔部１ｂから突起Ｌの孔部１ｃを貫通するように例えば針金（図示せず）等を通してから支持部材１に巻き付け縛ることで、支持部材１にのぼり旗竿Ｐが固定される。これによりのぼり旗竿Ｐは平面状の被取付面Ｑに安定良く設置される。
【００３４】
また、のぼり旗竿Ｐを円いポールによる被取付面Ｑへ設置する場合には、図４（ａ）に示すように、円いポール側面におけるのぼり旗竿Ｐの設置相当部位に支持部材１の差込兼バンド締付用支持片２ａ、２ｂの背面側にある凹部５を当接しておき、差込兼バンド締付用支持片２ａ、２ｂからポール全周を巻き込むように締め付けバンド６を巻回し、ポールの反対側にて締め付けバンド６のネジ締め付けによって締結固定する。このとき、図４（ｂ）に示すように、差込兼バンド締付用支持片２ａ、２ｂの凹部５に円いポールの円弧部分が係合した状態で支持部材１が固定される。
【００３５】
また、のぼり旗竿Ｐをフェンスの細柱による被取付面Ｑへ設置する場合には、図５（ａ）に示すように、支持部材１の差込兼バンド締付用支持片２ａ、２ｂにおける凹部５内に、断面が略台形状となった細柱の幅狭前面側に当接しておき、締め付けバンド６をフェンスのネットを通り抜ける状態で差込兼バンド締付用支持片２ａ、２ｂから細柱全周を巻き込むように巻回し、細柱の反対側にて締め付けバンド６のネジ締め付けによって締結する。このとき、図５（ｂ）に示すように、差込兼バンド締付用支持片２ａ、２ｂの凹部５に細柱の幅狭前面側が係合した状態となって支持部材１が固定される。
【００３６】
そして、図４（ａ）および図５（ａ）に示すように、予め旗Ｔが取り付けられているのぼり旗竿Ｐを支持部材１の上側開口面１ｄから筒内に挿入する。このとき、のぼり旗竿Ｐの下端開口側に嵌め込まれた下部ホルダー部材Ｈの突起Ｌをスリット部１ａに嵌合させ、孔部１ｂから突起Ｌの孔部１ｃを貫通するように例えば針金（図示せず）等を通して支持部材１に巻き付け縛ることで、支持部材１にのぼり旗竿Ｐが固定される。これによりのぼり旗竿Ｐは円いポールもしくはフェンスの細柱等の湾曲状の被取付面Ｑに安定良く設置される。
【図面の簡単な説明】
【００３７】
【図１】本発明を実施するための最良の形態における支持部材の一例を示すもので、（ａ）は正面図、（ｂ）は左側面図、（ｃ）は背面図、（ｄ）は平面図、（ｅ）は（ａ）のＣ−Ｃ断面図、（ｆ）は底面図である。
【図２】同じく受け部材の一例を示すもので、（ａ）は正面図、（ｂ）は左側面図、（ｃ）（ａ）のＡ−Ａ断面図、（ｄ）は背面図、（ｅ）は平面図、（ｆ）は（ａ）のＢ−Ｂ断面図、（ｇ）は底面図である。
【図３】同じくのぼり旗竿の平面設置の場合の一例を示すもので、（ａ）は被取付面に固定されている受け部材に支持部材を組付ける前状態を示す側面図、（ｂ）は組付け後の状態の側面図、（ｃ）は組付け後の状態の正面図である。
【図４】同じくのぼり旗竿を円いポールへ設置する場合の一例を示すもので、（ａ）は被取付面に締め付けバンドを介して固定されている支持部材にのぼり旗竿を組付ける前状態を示す側面図、（ｂ）は（ａ）のＤ−Ｄ断面図である。
【図５】同じくのぼり旗竿をフェンスの細柱へ設置する場合の一例を示し、（ａ）は被取付面に締め付けバンドを介して固定されている支持部材にのぼり旗竿を組付ける前状態を示す側面図、（ｂ）は（ａ）のＥ−Ｅ断面図である。
【符号の説明】
【００３８】
Ｐ              のぼり旗竿
Ｑ              被取付面
Ｒ              横棒
Ｓ              キャップ
Ｌ              突起
Ｈ              下部ホルダー部材
Ｔ              旗
１              支持部材
１ａ            スリット部
１ｂ            孔部
１ｄ            上側開口面
２ａ、２ｂ      差込兼バンド締付用支持片
３              テーパ部
４              切欠溝部
５              凹部
６              締め付けバンド
１１            受け部材
１２            コ字枠
１２ａ、１２ｂ  差込孔部
１３            アーム
１４            ネジ孔
１５            梨地加工面部
【図１】
2007231536.tif 000003
【図２】
2007231536.tif 000004
【図３】
2007231536.tif 000005
【図４】
2007231536.tif 000006
【図５】
2007231536.tif 000007